(57)【要約】      （修正有）【課題】店頭での布団の陳列に適した布団用収納袋を提供する。【解決手段】布団用収納袋１は、柔らかい布地からなり、一端３が開口７に形成され、開口から他端５にかけて筒形有底の袋体９に形成され、袋体の内部に布団を収納するための収納空間Ｋが構成される袋本体１１であって、袋本体は、布団の側生地と同一の布地で形成されると共に、袋本体の外面１３には、布団の側生地と同一の色Ｃ及び模様Ｄが形成されている。【選択図】図１
0003219226.tif 000002
【実用新案登録請求の範囲】
【請求項１】
柔らかい布地からなり、一端が開口に形成され、前記開口から他端にかけて筒形有底の袋体に形成されてなることにより、前記袋体の内部に布団を収納するための収納空間が構成されてなる袋本体であって、
前記袋本体は、前記布団の側生地と同一の布地で形成されてなると共に、前記袋本体の外面には、前記布団の側生地と同一の色及び模様が形成されてなる、
ことを特徴とする布団用収納袋。
【請求項２】
前記開口は、前記開口に沿って紐を挿通可能な紐通しが設けられてなり、前記紐通しに紐を通して縛ることにより閉じることができる巾着構造に形成されてなる、
ことを特徴とする請求項１に記載の布団用収納袋。
【請求項３】
前記布団がロール状に丸められた状態で前記開口から挿入されることにより前記袋本体に収納されてなる、
ことを特徴とする請求項１または２に記載の布団用収納袋。
【考案の詳細な説明】
【技術分野】
【０００１】
本考案は、布団を収納する布団用収納袋に関する。
【背景技術】
【０００２】
店頭での布団販売においては、近時、布団を布団用収納袋に収納した状態で陳列されていることが多く、この種の陳列に利用される布団用収納袋は布団を折り畳んだ状態で収納するようになっている。
【０００３】
例えば、特許文献１には、布団類を折り畳み収納された状態で陳列するのに使用される袋であって、直方体もしくはそれに近い形状の袋内空間を形成しうる袋地と、略ロ字形の一対の枠であって、袋の正面側と背面側とにそれぞれ対向して該袋地内に取付けられ、これにより袋を直方体もしくはそれに近い形状に保持し得る一対の形状支持枠と、前記袋地表面の一部に取付けられた、布団類を出し入れ可能に、袋を開閉することができるファスナーよりなり、かつ、袋の少なくとも正面部は透明材により形成されてなる布団用収納袋が知られている。
【先行技術文献】
【特許文献】
【０００４】
【特許文献１】特開２００４−４２９７２号公報
【考案の概要】
【考案が解決しようとする課題】
【０００５】
しかしながら、従来の布団用収納袋では、外部から正面部の透明材を通して収納されている布団が見えるものの、手触り感が伝わりにくいために、購入者としては、購入選択時にファスナーを開閉して、収納されている布団を手で直に触ることになり、店頭での陳列期間中に何回もファスナーを開け閉めされることによって、ファスナーの務歯に布団の布地が引っ掛かることもあり、布地の一部が破れたり汚れたりする等の問題があった。
【課題を解決するための手段】
【０００６】
そこで、上記課題を解決するための手段として本考案に係る布団用収納袋は、柔らかい布地からなり、一端が開口に形成され、前記開口から他端にかけて筒形有底の袋体に形成されてなることにより、前記袋体の内部に布団を収納するための収納空間が構成されてなる袋本体であって、前記袋本体は、前記布団の側生地と同一の布地で形成されてなると共に、前記袋本体の外面には、前記布団の側生地と同一の色及び模様が形成されてなる、ことを特徴とする。
【０００７】
また本考案は、前記開口は、前記開口に沿って紐を挿通可能な紐通しが設けられてなり、前記紐通しに紐を通して縛ることにより閉じることができる巾着構造に形成されてなる、こととしても良い。
【０００８】
また本考案は、前記布団がロール状に丸められた状態で前記開口から挿入されることにより前記袋本体に収納されてなる、こととしても良い。
【０００９】
前記布団とは、日本で広く用いられる寝具のひとつで、主に、人が上に横たわるための敷き布団と、人の上に被せる掛け布団があり、その他、こたつ布団や肌布団等がある。
【００１０】
前記側生地とは、前記布団の詰め物（木綿綿、ダウン、スモールフェザー）等を包んでいる布地部分のことを指しており、単に側地と呼ばれることもある。なお、前記側生地は、前記布団の詰め物を包んでいる布地部分の全体をさらに覆った布団カバーであっても好ましい。
【００１１】
前記紐通しは、前記開口を内側に折り返して前記紐を挿通することができる通り道を作ると共に、前記紐の取り出し口を作って、折り返した端部を縫合することにより形成することができる。
【００１２】
前記巾着構造とは、小物や手回り品を収納して持ち歩くための巾着袋であって、物品を挿入するための開口には紐が通してあり、紐で開口を縛って携帯することができる巾着袋の構造である。
【００１３】
前記布団がロール状に丸められた状態とは、前記布団を二つ折りにした後、同じ方向にもう一度二つに折り畳み、折り畳んだ長手方向をロール状に巻いた状態であっても好ましく、前記布団をコンパクトにまとめることができる。
【考案の効果】
【００１４】
本考案の布団用収納袋によれば、袋本体は収納される布団の側生地と同一の布地で形成されてなると共に、袋本体の外面には、布団の側生地と同一の色及び模様が形成されてなることにより、店頭における陳列において、購入者が袋本体を手で触るだけで、袋本体に収納されている布団と同一の手触り感が伝わるので、袋本体から布団を出して確認する必要もなくなり、布団が破れたり汚れたりする等の問題を未然に防止することができる。
【００１５】
また、布団の側生地と同じ色及び模様の生地で袋本体が形成されてなることにより、収納時及び収納保管時において、どの布団用収納袋に、どの布団が収納されているかが、全方向から一目瞭然で確認することができるので、店頭及び家庭において布団の在庫等の収納管理がし易くなる。
【００１６】
また、袋本体の開口が巾着構造に形成されてなることにより、ロール状に丸められた布団をコンパクトに収納して、紐を縛ることにより開口を閉じることが簡単にできるので、布団の収納及び保管に適した布団用収納袋である。
【図面の簡単な説明】
【００１７】
【図１】本考案の一実施例を示す図であり、布団を収納する前の状態で、布団用収納袋１の開口状態を示す拡大斜視図である。
【図２】本考案の一実施例を示す図であり、布団用収納袋１に収納するために布団Ｆを折り畳む工程を示す参考斜視図である。
【図３】本考案の一実施例を示す図であり、図２で折り畳んだ布団Ｆを布団用収納袋１に収納する工程を示す参考斜視図である。
【図４】本考案の一実施例を示す図であり、図３で布団Ｆが収納された状態を示す布団用収納袋１の拡大斜視図である。
【考案を実施するための形態】
【００１８】
以下、本考案に係る実施の形態を、図１乃至図４を参照しながら詳しく説明する。
【００１９】
本考案の布団用収納袋１は、図１に示すように、柔らかい布地からなり、一端３が開口７に形成され、開口７から他端５にかけて筒形有底の袋体９に形成されてなることにより、袋体９の内部に布団Ｆを収納するための収納空間Ｋが構成されてなる袋本体１１が形成されてなる。
【００２０】
図１乃至図４に示すように、袋本体１１は、布団Ｆの側生地Ｇと同一の布地で形成されてなると共に、袋本体１１の外面１３には、布団Ｆの側生地Ｇと同一の色Ｃ及び模様Ｄが形成されてなる。
【００２１】
開口７は、図１及び図４に示すように、開口７に沿って紐Ｈを挿通可能な紐通し１５が設けられてなり、紐通し１５に紐Ｈを通して縛ることにより閉じることができる巾着構造１７に形成されてなる。
【００２２】
紐通し１５は、開口７を内側に折り返して紐Ｈを挿通することができる通り道であり、紐Ｈの取り出し口Ｔを形成し、折り返した端部を縫合１９することにより形成することができる。
【００２３】
布団Ｆを折り畳む工程は、図２に示すように、（イ）広げた状態の布団Ｆがあり、（ロ）布団Ｆを矢印方向に二つ折りにした後、（ハ）次に同じ方向にもう一度矢印方向に二つに折り畳み、（ニ）次に折り畳んだ長手方向を矢印方向に巻いていき、（ホ）ロール状に巻いた状態にすることで、布団Ｆをコンパクトにまとめることができる。なお、布団Ｆは、こたつ布団であっても好ましい。
【００２４】
次に、布団Ｆを布団用収納袋１に収納する工程は、図３に示すように、（ヘ）布団Ｆがロール状に丸められた状態で、（ト）布団Ｆを布団用収納袋１の開口７から矢印方向に挿入することにより、（チ）布団Ｆが袋本体１１の収納空間Ｋに収納され、巾着構造１７により紐Ｈを縛って開口７を閉じることができる。
【００２５】
このようにしてなる布団用収納袋１は、袋本体１１が布団Ｆの側生地Ｇと同一の布地で形成されてなると共に、袋本体１１の外面１３が布団Ｆの側生地Ｇと同一の色Ｃ及び模様Ｄが形成されてなるので、収納されている布団Ｆの絵柄と触り心地が布団用収納袋１で直に確認することができ、簡単な構造で、しかも店頭での陳列に適した布団用収納袋１を提供することができる。
【００２６】
また、袋本体１１の開口７が巾着構造１７に形成されてなることにより、ロール状に丸められた布団Ｆをコンパクトに収納して、紐Ｈを縛ることにより開口７を閉じることが簡単にできる。なお、ファスナーがないので、ファスナーの務歯に布団の布地が引っ掛かることもなく、布地の一部が破れたり汚れたりすることがない。
【００２７】
また、布団の在庫時、或いは保管時にも一目瞭然で何の布団用収納袋であるかが分かり易くなり、布団用収納袋の識別性の向上に寄与することができる。
【符号の説明】
【００２８】
１    布団用収納袋
３    一端
５    他端
７    開口
９    袋体
１１    袋本体
１３    外面
１５    紐通し
１７    巾着構造
１９    縫合
Ｃ    色
Ｄ    模様
Ｆ    布団
Ｇ    側生地
Ｈ    紐
Ｋ    収納空間
Ｔ    取り出し口
【図１】
0003219226.tif 000003
【図２】
0003219226.tif 000004
【図３】
0003219226.tif 000005
【図４】
0003219226.tif 000006